(57)【特許請求の範囲】
【請求項１】
前輪及び後輪が取り付けられたベース枠体と２対のクランク回転体（４０）・（５０）、２対の踏み板、手摺フレームで構成され、薬効が切れた状況下でも階段を昇ることは比較的容易に出来るという行動特性を利用したパーキンソン病患者用の歩行車において、前記各クランク回転体は同位相、平行かつ回転可能にベース枠体に取り付けられており、また前記各踏み板も回転可能にクランク回転体に取り付けられていることにより、使用者が踏み板の上で階段を昇ることと同様な動作（以降、上下足踏み運動という）を行うと踏み板は地面と平行を維持したままクランク回転体を回転させながら自身は上下前後にスライド移動を繰り返し、一方、クランク回転体の回転軸はチェーン等の回転力を確実に伝える部材で車軸と同程度の回転半径で連結されているため、クランク回転体が回転することにより車軸及び車軸に固定されている車輪が回転して歩行速度と同程度に前進することを特徴とする歩行車。
【請求項２】
ベース枠体と手摺フレームとが一体として構成されているか、または、ベース枠体とフレーム型歩行器で車輪のないタイプのものを用いて構成されることを特徴とする、請求項１に記載の歩行車。
【請求項３】
フレーム型歩行器で車輪のないタイプのものを用いて構成する場合にはその着脱が行えることを特徴とする請求項２に記載の歩行車。
【発明の詳細な説明】
【技術分野】
【０００１】  本発明は、特にパーキンソン病患者の歩行補助に使用される歩行車に関するものである。
【背景技術】
【０００２】  パーキンソン病患者は、薬効が切れた時の自立歩行において、第一歩が出にくい状況になることが顕著であり、そのため、平地において前進歩行を行うのが非常に困難である。【０００３】  しかしながら、薬効が切れた状況下でも、階段を昇ることは比較的容易に出来る。
本発明の発明者自身が同病の患者であり、このことは事実である。
【先行技術文献】
【特許文献】
【０００４】
【特許文献１】特開２０１６−１５８９７０号公報
【発明の概要】
【発明が解決しようとする課題】
【０００５】  特許文献１においても、上記０００３と同様な旨が記載されており（同文献の明細書段落０００５）、そのことに対応した歩行補助具が開示されている。【０００６】  しかしながら、特許文献１で開示された歩行補助具では、使用者の第一歩の着地位置は歩き初めと同じ高さレベルである地面前方向となっている。実際に階段を昇るときの第一歩の着地は歩き始めより前方かつ上方となるので、この歩行補助具は、階段を昇ることは比較的容易に出来るというパーキンソン病患者の特性を有効に利用したものとは言い難い。【０００７】  本発明が解決しようとする課題は、階段を昇ることと同様な動作（以降、上下足踏み運動と言う）を使用者の足元で再現しかつそのことにより前進する歩行車を提供することにある。
なお、一般に公知されている自転車のペダルを漕ぐ動作は、足を乗せるペダル自体が回転するため、足の運び方が階段を昇る動作とは異なるものである。本発明の発明者自身が同病の患者であり、このことも事実である。
【課題を解決するための手段】
【０００８】  本発明の歩行車は、前輪及び後輪が取り付けられたベース枠体と２対のクランク回転体、２対の踏み板、手摺フレームで構成されていることを特徴とする。【０００９】  一のクランク回転体は、縦長アーム、２つの縦短アーム、２つの横バー、２つの回転軸で構成されており、各クランク回転体は同位相、平行かつ回転可能にベース枠体に取り付けられている。
また、各踏み板も回転可能にクランク回転体に取り付けられている【００１０】  この構成により、使用者が踏み板の上で前方に重心を置いて上下足踏み運動を行うと、踏み板は地面との平行を維持したままクランク回転体を回転させながら自身は上下前後にスライド移動を繰り返すため、階段を昇ることと同様な動作が使用者の足元で再現される。【００１１】  一のクランク回転体の回転軸はチェーン等の回転力を確実に伝える部材で車軸と連結されているため、クランク回転体が回転することにより、車軸及び車軸に固定されている車輪が回転し本発明に係る歩行車が前進する
【発明の効果】
【００１２】  特に、パーキンソン病患者において、薬効が切れた時の移動が容易となる。
【図面の簡単な説明】
【００１３】
【図１】は、本発明に係る歩行車の一実施例の斜視図である。
【図２】は、ベース枠体にクランク回転体を取り付けた状態の一実施例を説明する斜視図である。
【図３】は、図２の状態のクランク回転体に踏み板を取り付けた状態の一実施例を説明する斜視図である。
【図４】は、クランク回転体の構成を説明する図である。
【図５】は、ベース枠体と手摺フレームとの着脱方法の一実施例を説明する図である。
【図６】は、本発明に係る歩行車の一実施例の正面図及び使用状態を示す図である。
【図７】は、本発明に係る歩行車の一実施例の側面図及び使用状態を示す図である。
【発明を実施するための形態】
【００１４】  本発明に係る歩行車の一実施例について、図１〜図７に基づいて説明する。
図１は、本発明に係る歩行車の一実施例の斜視図である。
本例の歩行車３０は、木材、金属、合成樹脂等の部材で適宜構成されたベース枠体３にクランク回転体４０、クランク回転体５０、車軸７、車軸８、手摺フレーム２が取り付けられた構成になっている。さらに、各クランク回転体には踏み板９が取り付けられている。
また、進行速度を制御するためのブレーキレバー１７、ブレーキワイヤー１８、ブレーキ１９を備える。進行速度を制御するにあたっては、介護用として広く公衆に利用されている車輪のある歩行器に備えられているブレーキ構成など、公知の構成を用いてもよい。
なお、本図ではクランク回転体の構成を分かりやすくするために、一のクランク回転体を引き出して表示してある。
【００１５】  本発明を理解しやすいよう、順を追って説明する。
図２は、ベース枠体にクランク回転体を取り付けた状態の一実施例を説明する斜視図である。
ベース枠体３とクランク回転体４０、クランク回転体５０とはベアリング１０等の潤滑に回転する部材を介して取り付けられている。両クランク回転体は同位相かつ平行に位置し、各々が回転軸１６を軸として容易に回転する。
【００１６】  また、両クランク回転体の軸間の距離すなわち回転軸１６間の距離Ｌは、縦長アーム１３の長さ以上とする。
【００１７】  図３は、図２の状態の各クランク回転体に踏み板を取り付けた状態の一実施例を説明する斜視図である。
各クランク回転体には踏み板９がベアリング１１等の潤滑に回転する部材を介して取り付けられている。
この構成により、使用者が踏み板９の上で前方に重心を置いて上下足踏み運動を行うと、踏み板９は地面と平行を維持したままクランク回転体を回転させながら自身は上下前後にスライド移動を繰り返す。
【００１８】  クランク回転体５０の回転軸１６と車軸８とはチェーン１２等の回転力を確実に伝える部材で連結されており、クランク回転体５０が回転することにより回転軸１６、車軸８も同方向に回転する。
【００１９】  車軸８の両端には車輪６が固定されており、車軸８が回転することにより車輪６も同方向に回転する。
【００２０】  なお、前進する速度を考慮すると、回転軸１６に係るチェーン１２の回転半径と車軸８に係るチェーンの回転半径は同じとすることが望ましい。
【００２１】  以上の構成により、使用者が踏み板９の上で上下足踏み運動を行うことにより後車軸８、後車輪６が回転し、本発明に係る歩行車３０が前進する。
【００２２】  図４は、クランク回転体４０及び５０の詳細を説明する図である。
図４（ａ）に示すように、一のクランク回転体は、それぞれ鉄、アルミ等の強固な部材で形成される縦長アーム１３、２つの縦短アーム１４、２つの横バー１５、２つの回転軸１６から構成される。
【００２３】  横バー１５、回転軸１６は円筒形で縦長アーム１３、縦短アーム１４と差し込み穴及びボルト等により強固に緊結される。
【００２４】  なお、クランク回転体すべてを丸鋼棒等の曲げ加工で一体として形成してもよい。
【００２５】  縦長アーム１３と縦短アーム１４の差し込み穴の芯々の距離比を２：１とすることによりクランク回転体は回転軸１６を軸として回転することができる。
【００２６】  なお、図４（ｂ）に示すように、縦長アーム１３′と縦短アーム１４′の差し込み穴の芯々の距離比が２：１に維持されれば各々の長さは任意であり、使用者の体格等により適切な長さとする。
【００２７】  図５は、手摺フレーム２とベース枠体３との取り付け方法の一実施例を示す図である。
本発明に係る歩行車３０は、ベース枠体３と手摺フレーム２とが一体として構成されているか、または、ベース枠体３とフレーム型歩行器で車輪のないタイプのものを用いて構成される。
図５は、フレーム型歩行器で車輪のないタイプのものを本発明の手摺フレーム２として構成する場合の着脱方法の一実施例を説明する図である。
【００２８】  図５（ａ）に示すように、ベース枠体３の下部にフレーム型歩行器で車輪のないタイプのものの脚部２２が隙間なく入りかつ貫通しない程度の欠き込みを入れた部材を渡して緊結する。
【００２９】  その後、図５（ｂ）に示すように、フレーム型歩行器で車輪のないタイプのものの脚部２２を欠き込み部に嵌め込む。
このことにより、フレーム型歩行器で車輪のないタイプのものが着脱可能に手摺フレーム２として構成される。
【００３０】  図６は、本発明に係る歩行車の一実施例の正面図及び使用状態を示す図である。
【００３１】    図７は、本発明に係る歩行車の一実施例の側面図及び使用状態を示す図である。
【符号の説明】
【００３２】３０  本発明に係る歩行車
４０  クランク回転体
５０  クランク回転体
２    手摺フレーム
３    ベース枠体
６    車輪
７    車軸
８    車軸
９    踏み板
１０  ベアリング等の円滑に回転する部材
１１  ベアリング等の円滑に回転する部材
１２  チェーン等の回転力を確実に伝える部材
１３  縦長アーム
１４  縦短アーム
１５  横バー
１６  回転軸
１７  ブレーキバー
１８  ブレーキワイヤー
１９  ブレーキ
２２  フレーム型歩行器で車輪のないタイプの脚部
【要約】
【課題】薬効が切れた状況下でも階段を昇ることは比較的容易に出来るという行動特性を利用して、階段を昇ることと同様な動作を行うことにより前進するパーキンソン病患者用歩行車を提供する。
【解決手段】前車輪と後車輪が取り付けられたベース枠体３と２対のクランク回転体４０及び５０、２対の踏み板９、手摺フレーム２で歩行車を構成する。各クランク回転体は同位相、平行かつ回転可能にベース枠体３に取り付ける。また前記踏み板９も回転可能に各クランク回転体に取り付ける。
この構成により、使用者が踏み板９の上で上下足踏み運動を行うと、踏み板９は地面と平行を維持したままクランク回転体を回転させながら自身は上下前後にスライド移動を繰り返す。一方、クランク回転体の回転軸１６はチェーン１２等で車輪が固定された車軸と同程度の回転半径で連結されているため、前記運動を行なうことにより本歩行車が歩行速度と同程度に前進する。
【選択図】図１【図１】
0006903206.tif 000002
【図２】
0006903206.tif 000003
【図３】
0006903206.tif 000004
【図４】
0006903206.tif 000005
【図５】
0006903206.tif 000006
【図６】
0006903206.tif 000007
【図７】
0006903206.tif 000008